(57)【要約】【課題】トラフが正常に固定されているか否かを簡単に確認できるトラフ固定金具とこれを用いたトラフの固定方法を提供する。【解決手段】トラフ固定金具21は、ボルト23と、留め金具25と、ナット29とを備える。留め金具25は、その長さ方向をトラフ11底面のＴ形溝の長手方向に向けてＴ形溝に入れた後、ナット23を締める方向に略90度回転させると、長さ方向の両端縁がＴ形溝の横溝部17ａの両側壁に突き当たってそれ以上回転できなくなり、かつ、長さ方向の両端部がＴ形溝内の両側の肩部19に引っ掛かってＴ形溝から抜け出せなくなる。このトラフ固定金具の、ボルト23の下端部に留め金具25の長さ方向の向きを示す標識39を設けた。標識39は、留め金具25の長さ方向と直交する方向に形成された平行な二平面で構成されている。留め金具25が見えなくても、標識39を見れば、留め金具25の向きが分かる。トラフの敷設工事と敷設後の点検が容易、確実なものとなる。【選択図】図２
2009148102.tif 000002
【特許請求の範囲】
【請求項１】
トラフ支持部材のボルト穴に挿入されるボルトと、このボルトの上端部に水平に固定された留め金具と、締付け用のナットとを備え、前記留め金具は、その幅がトラフの底面に長手方向に形成された断面略Ｔ字形の溝の縦溝部の幅より小さく、長さが前記溝の縦溝部の幅より大きく且つ横溝部の幅と同じかそれより小さく設定されており、その長さ方向を前記溝の長手方向に向けて前記溝内に入れた後、ナットを締める方向に略９０度回転させると、長さ方向の両端縁が前記溝の横溝部の両側壁に突き当たってそれ以上回転できなくなると共に、長さ方向の両端部が前記溝内の両側の肩部に引っ掛かって前記溝から抜け出せなくなるようになっているトラフ固定金具において、
前記ボルトの下端部に前記留め金具の長さ方向の向きを示す標識を設けたことを特徴とするトラフ固定金具。
【請求項２】
前記標識は、前記留め金具の長さ方向と直交する方向又は同方向に形成された平行な二平面で構成されていることを特徴とする請求項１記載のトラフ固定金具。
【請求項３】
請求項１又は２記載のトラフ固定金具を使用してトラフをトラフ支持部材に固定する方法であって、前記トラフ固定金具のボルトをトラフ支持部材のボルト穴に挿入した後、そのトラフ固定金具の留め金具の長さ方向をトラフの長手方向に向けた状態で、トラフ支持部材上にトラフを載せ、これにより、前記留め金具をトラフの底面の断面略Ｔ字形溝の縦溝部に入れ、その後、ボルトをナットを締める方向に回転させて、前記留め金具の両端部を前記断面略Ｔ字形溝の横溝部に入り込ませ、前記ボルトを回転できなくなるまで回転させたところで、ボルトの下端部の標識がトラフの長手方向を示す向きに向いていることを確認した後、ナットを締め付け、トラフをトラフ支持部材に固定することを特徴とするトラフの固定方法。
【請求項４】
請求項１又は２記載のトラフ固定金具を使用して長手方向に隣り合うトラフをトラフ支持部材に固定する方法であって、前記トラフ支持部材はトラフ長手方向に間隔をあけて複数のボルト穴を有しており、このトラフ支持部材上に、複数のボルト穴にそれぞれボルトを挿入した状態で複数のトラフ固定金具を設置した後、各トラフ固定金具の留め金具の長さ方向をトラフの長手方向に向けた状態で、トラフ支持部材上に長手方向に隣り合う２つのトラフの端部を端面を突き合わせて載置し、これにより、各トラフの底面の断面略Ｔ字形溝の縦溝部に前記留め金具を入れ、その後、各固定金具のボルトをナットを締める方向に回転させて、各留め金具の両端部を前記断面略Ｔ字形溝の横溝部に入り込ませ、各ボルトを回転できなくなるまで回転させたところで、各ボルトの下端部の標識がトラフの長手方向を示す向きに向いていることを確認した後、ナットを締め付け、各トラフをトラフ支持部材に固定することを特徴とするトラフの固定方法。
【発明の詳細な説明】
【技術分野】
【０００１】
本発明は、電力ケーブルや通信ケーブルを収容するトラフを、トラフ支持部材に固定するのに使用するトラフ固定金具と、それを用いたトラフの固定方法に関するものである。
【背景技術】
【０００２】
鉄道線路に沿ってケーブルを布設する場合には、従来、コンクリートトラフが使用されてきたが、最近、軽量な樹脂製トラフが使用されるようになっている。図４に樹脂製トラフの一例を示す（特許文献１の図２参照）。このトラフ１１はトラフ本体１３と蓋体１５とから構成される。トラフ本体１３の底面には長手方向に連続する断面略Ｔ字形の溝（以下、Ｔ形溝という）１７が形成されている。Ｔ形溝１７は、Ｔの字の横棒に相当する横溝部１７ａと、縦棒に相当する縦溝部１７ｂとからなる。横溝部１７ａの幅Ｗは縦溝部１７ｂの幅Ｖよりも広いため、Ｔ形溝１７内には両側に肩部１９が形成される。
【０００３】
上記のように構成されたトラフ１１を、トラフ支持部材に固定するためのトラフ固定金具の一例を図５に示す（特許文献１の図６、特許文献２の図６、図７、図９参照）。このトラフ固定金具２１は、ボルト２３と、垂直なボルト２３の上端部に水平に固定された留め金具２５と、締付け補助用のワッシャ２７と、締付け用のナット２９とから構成されている。前記留め金具２５は、平面図で見ると略長方形で、その幅Ｑが前記トラフ１１の底面に形成されたＴ形溝１７の縦溝部１７ｂの幅Ｖより若干小さく、長さＰが前記Ｔ形溝１７の縦溝部１７ｂの幅より大きく且つ横溝部１７ａの幅Ｗと同じかそれより若干小さく設定されている。また平面図で見て、幅方向の両端の角部のうち、留め金具２５を反時計方向（ナット２９を締める方向）に回転させるときに回転方向の先端側となる角部には回転を阻害させないための切欠き３１が形成されている。また留め金具２５の中央部にボルト２３の頭部２３ａを収容する凹部３３が形成されており、凹部３３の外面間距離ＲはＴ形溝１７の縦溝部１７ｂの幅Ｖより若干小さく設定されている。
【０００４】
図６は、上記のトラフ固定金具２５を用いて、トラフ１１をトラフ支持部材３５に固定する方法の一例を示す（特許文献１の図４参照）。このトラフ支持部材３５は、鉄道線路脇の擁壁などに固定されたアングル材３５Ａと、その上に設置された位置決め部材３５Ｂとから構成されている。トラフ支持部材３５には所定の位置に、上下方向にボルト穴が形成されている。トラフ固定金具２５は、支持部材３５上にトラフ１１を載せる前に、ボルト２３を支持部材３５のボルト穴に挿通し、ボルト２３の下部にワッシャ２７及びナット２９を仮止めしておく。次に、図６（Ｂ）に示すように、留め金具２５の長さ方向をトラフ長手方向に向けた状態で、支持部材３５上にトラフ１１を載せると、留め金具２５全体がトラフ１１の底面のＴ形溝１７内に入る。その後、ボルト２３を摘んで固定金具２１をナット２９を締める方向に略９０度回転させると、図６（Ｃ）に示すように、留め金具２５の長さ方向の両端縁がＴ形溝１７の横溝部１７ａの両側壁３７に突き当たってそれ以上回転できなくなると共に、留め金具２５の長さ方向の両端部がＴ形溝１７内の両側の肩部１９に引っ掛かってＴ形溝１７から抜け出せなくなる。この状態で、ナット２９を締め付ければ、図６（Ａ）に示すように、トラフ１１を固定金具２１によって支持部材３５上に固定することができる。
【０００５】
【特許文献１】特開２００４−４８８４６号公報
【特許文献２】特開２００３−１８９４３７号公報
【発明の開示】
【発明が解決しようとする課題】
【０００６】
トラフ固定金具２１を用いると、上記のように、トラフ１１を支持部材３５上に簡単に固定することができる。しかし従来のトラフ固定金具には、次のような問題がある。すなわち、トラフ支持部材上にトラフを載せた後、トラフ固定金具２１を図６（Ｂ）の状態から同図（Ｃ）の状態に回転させるが、留め金具２５は全体がＴ形溝１７内に入っているため、外部からは確実に図６（Ｃ）の状態になったかどうか（トラフが正常に固定されているか否か）を確認することができない。もし、図６（Ｃ）の状態になっていないとすると、トラフが支持部材にしっかりと固定されず、支持部材から外れるおそれがある。
【０００７】
本発明の目的は、トラフが正常に固定されているか否かを簡単に確認できるトラフ固定金具と、それを用いたトラフの固定方法を提供することにある。
【課題を解決するための手段】
【０００８】
上記目的を達成するため本発明は、トラフ支持部材のボルト穴に挿入されるボルトと、このボルトの上端部に水平に固定された留め金具と、締付け用のナットとを備え、前記留め金具は、その幅がトラフの底面に長手方向に形成された断面略Ｔ字形の溝（Ｔ形溝）の縦溝部の幅より小さく、長さが前記Ｔ形溝の縦溝部の幅より大きく且つ横溝部の幅と同じかそれより小さく設定されており、その長さ方向を前記Ｔ形溝の長手方向に向けて前記Ｔ形溝内に入れた後、ナットを締める方向に略９０度回転させると、長さ方向の両端縁が前記Ｔ形溝の横溝部の両側壁に突き当たってそれ以上回転できなくなると共に、長さ方向の両端部が前記Ｔ形溝内の両側の肩部に引っ掛かって前記Ｔ形溝から抜け出せなくなるようになっているトラフ固定金具において、前記ボルトの下端部に前記留め金具の長さ方向の向きを示す標識を設けたことを特徴とするものである。
【０００９】
本発明に係るトラフ固定金具において、前記標識は、前記留め金具の長さ方向と直交する方向又は同方向に形成された平行な二平面で構成されていることが好ましい。
【００１０】
また、本発明に係るトラフの固定方法は、上記のトラフ固定金具を使用してトラフをトラフ支持部材に固定する方法であって、前記トラフ固定金具のボルトをトラフ支持部材のボルト穴に挿入した後、そのトラフ固定金具の留め金具の長さ方向をトラフの長手方向に向けた状態で、トラフ支持部材上にトラフを載せ、これにより、前記留め金具をトラフの底面の断面略Ｔ字形溝の縦溝部に入れ、その後、ボルトをナットを締める方向に回転させて、前記留め金具の両端部を前記断面略Ｔ字形溝の横溝部に入り込ませ、前記ボルトを回転できなくなるまで回転させたところで、ボルトの下端部の標識がトラフの長手方向を示す向きに向いていることを確認した後、ナットを締め付け、トラフをトラフ支持部材に固定することを特徴とするものである。
【００１１】
また、本発明に係るもう一つのトラフの固定方法は、上記のトラフ固定金具を使用して長手方向に隣り合うトラフをトラフ支持部材に固定する方法であって、前記トラフ支持部材はトラフ長手方向に間隔をあけて複数のボルト穴を有しており、このトラフ支持部材上に、複数のボルト穴にそれぞれボルトを挿入した状態で複数のトラフ固定金具を設置した後、各トラフ固定金具の留め金具の長さ方向をトラフの長手方向に向けた状態で、トラフ支持部材上に長手方向に隣り合う２つのトラフの端部を端面を突き合わせて載置し、これにより、各トラフの底面の断面略Ｔ字形溝の縦溝部に前記留め金具を入れ、その後、各固定金具のボルトをナットを締める方向に回転させて、各留め金具の両端部を前記断面略Ｔ字形溝の横溝部に入り込ませ、各ボルトを回転できなくなるまで回転させたところで、各ボルトの下端部の標識がトラフの長手方向を示す向きに向いていることを確認した後、ナットを締め付け、各トラフをトラフ支持部材に固定することを特徴とするものである。
【発明の効果】
【００１２】
本発明によれば、留め金具をトラフ底面の断面略Ｔ字形の溝に入れてトラフを固定した後に、ボルトの下端部の標識を見ることにより、留め金具の長さ方向の両端部がトラフの溝内の両側の肩部に引っ掛かっているか否か、つまりトラフが正常に固定されているか否かを確認することができる。したがって施工後の検査や保守点検を容易に行うことができる。
【００１３】
また、標識を、留め金具の長さ方向又は幅方向と同方向に形成された平行な二平面で構成すると、標識をどの方向から見ても、あるいは標識に触るだけでも、留め金具の長さ方向の向きを確認できる。
【００１４】
また、トラフ底面の断面略Ｔ字形溝の横溝部の両側壁に留め金具の両端部が突き当たっているか否かを標識の向きにより確認できるので、トラフの敷設工事の効率が向上し、検査もやりやすい。さらに、複数のトラフを並べてトラフによる線路を形成した後でも、トラフ蓋を外すことなく検査を行うことができる。さらに、トラフ固定金具を回転し過ぎてボルトのねじ部をつぶしたり、かじったりすることもない。
【発明を実施するための最良の形態】
【００１５】
図１は本発明に係るトラフ固定金具の一実施形態を示す。図１は図５（Ｂ）に相当する正面図である。図１において、２３はボルト、２５はボルト２３の上端部に水平に固定された留め金具、２７はワッシャ、２９はナットである。
【００１６】
このトラフ固定金具２１の特徴は、ボルト２３の下端部に、留め金具２７の長さ方向の向きを示す標識３９を設けたことである。この標識３９は、留め金具２５の長さ方向（紙面左右方向）と直交する方向に形成された平行な二平面で構成されている。このような標識３９は、ボルト２３の下端部を平行に切削することにより形成することができる。上記以外の構成は、図５に示した従来のトラフ固定金具と実質的に同じであるので、重複する説明は省略する。
【００１７】
図２は図１のトラフ固定金具２１を用いて支持部材３５上にトラフ１１を固定した状態を示す。図２において、図６と同一部分には同一符号を付してある。トラフ固定金具２１の留め金具２５は、トラフ１１の底面の横溝部１７ａ及び縦溝部１７ｂ内に入ってしまうため、外部からは見えないが、ボルト２３の下端部の標識３９は外部に露出している。標識３９の二平面は留め金具２５の長さ方向と一定の関係（直交する関係）にあるから、標識３９を見れば（又は標識３９に触れば）、留め金具２５の長さ方向がどの方向に向いているかを容易に確認できる。つまり、図２のように、標識３９の二平面がトラフ１１の長手方向に向いていれば、留め金具２５の長さ方向の両端部がＴ形溝内の肩部１９に引っ掛かり、トラフ１１が正常に固定されていることを確認できる。したがって施工後の検査や保守点検を容易に行うことができる。また、標識３９は、ナットの着脱や締め付け作業を阻害しない。また、トラフ蓋をトラフにボルト、ナット、ベルトなどで固定した後でも、トラフがトラフ支持部材にきちんと固定されていることが確認できる。
【００１８】
図１のトラフ固定金具２１を用いて図２のようにトラフ支持部材３５上にトラフ１１を固定するには、トラフ固定金具２１のボルト２３をトラフ支持部材３５のボルト穴に挿入した後（ナット２９は挿入前に外して挿入後に螺着する）、そのトラフ固定金具２１の留め金具２５の長さ方向をトラフ１１の長手方向に向けた状態で、トラフ支持部材３５上にトラフ１１を載せ、これにより、前記留め金具２５をトラフ１１の底面の断面略Ｔ字形溝の縦溝部１７ｂに入れ、その後、ボルト２３をナットを締める方向に回転させて、前記留め金具２５の両端部を前記断面略Ｔ字形溝の横溝部１７ａに入り込ませ、さらに前記ボルト２３を回転できなくなるまで回転させたところで、ボルト２３の下端部の標識３９がトラフの長手方向を示す向きに向いていることを確認した後に、ナット２９を締め付ければよい。
【００１９】
また、図１のトラフ固定金具２１を使用して、図３に示すように、長手方向に隣り合うトラフ１１を一つのトラフ支持部材３５上に固定する場合には、トラフ支持部材３５としてトラフ長手方向に間隔をあけて複数のボルト穴を有するものを使用し、このトラフ支持部材３５上に、複数のボルト穴にそれぞれボルト２３を挿入した状態で複数のトラフ固定金具２１を設置した後、各トラフ固定金具２１の留め金具２５の長さ方向をトラフの長手方向に向けた状態で、トラフ支持部材３５上に長手方向に隣り合う２つのトラフ１１の端部を端面を突き合わせて載置し、これにより、各トラフ１１の底面の断面略Ｔ字形溝の縦溝部１７ｂに前記留め金具２５を入れ、その後、各固定金具２１のボルト２３をナットを締める方向に回転させて、各留め金具２５の両端部を前記断面略Ｔ字形溝の横溝部１７ａに入り込ませ、各ボルト２３を回転できなくなるまで回転させたところで、各ボルト２３の下端部の標識３９がトラフの長手方向を示す向きに向いていることを確認した後、ナット２９を締め付ければよい。
【図面の簡単な説明】
【００２０】
【図１】本発明に係るトラフ固定金具の一実施形態を示す正面図。
【図２】図１のトラフ固定金具を用いてトラフを支持部材上に固定した状態を示す断面図。
【図３】本発明に係るトラフ固定方法の一実施形態を示す側面図。
【図４】樹脂製トラフの一例を示す断面図。
【図５】従来のトラフ固定金具を示す、（Ａ）は平面図、（Ｂ）は正面図、（Ｃ）は側面図。
【図６】（Ａ）は図５のトラフ固定金具を用いてトラフを支持部材上に固定した状態を示す断面図、（Ｂ）はトラフをトラフ支持部材に載せたときの（Ａ）のＸ−Ｘ´線矢視図、（Ｃ）はトラフを固定した後の（Ａ）のＸ−Ｘ´線矢視図
【符号の説明】
【００２１】
１１：トラフ
１７：断面略Ｔ字形の溝（Ｔ形溝）
１７ａ：横溝部
１７ｂ：縦溝部
１９：肩部
２１：トラフ固定金具
２３：ボルト
２５：留め金具
２７：ワッシャ
２９：ナット
３５：トラフ支持部材
３７：横溝部の両側壁
３９：標識
【図１】
2009148102.tif 000003
【図２】
2009148102.tif 000004
【図３】
2009148102.tif 000005
【図４】
2009148102.tif 000006
【図５】
2009148102.tif 000007
【図６】
2009148102.tif 000008